(57)【要約】【課題】粉塵を効果的に吸引することができる路面切断装置及び路面切断方法を提供すること【解決手段】円形状のブレード１２を回転させることにより路面を切断する路面装置１０である。そして、路面の切断中に、路面との間に設けられる空間内に、ブレード１２の少なくとも一部を収めるためのブレードカバー１４と、空間に液体を噴霧するための噴霧手段１６と、空間を吸引するための吸引手段１８と、を備える。【選択図】図１
2019124041.tif 000002
【特許請求の範囲】
【請求項１】
円形状のブレードを回転させることにより路面を切断する路面切断装置において、
路面の切断中にブレードの少なくとも一部を収めるための空間を、前記路面との間に設けるためのカバーと、
前記空間に液体を噴霧するための噴霧手段と、
前記空間を吸引するための吸引手段と、
を備える路面切断装置。
【請求項２】
前記ブレードは、曲面からなる表面及び裏面と、この表面及び裏面を接続する側面に設けられる複数の外周刃とを備え、
前記噴霧手段は、前記ブレードの側面に向かって霧を供給するように構成されていることを特徴とする請求項１に記載の路面切断装置。
【請求項３】
前記カバーは、前記ブレードによる前記路面の切断中に、前記路面に対向する枠部と、この枠部に接続し、前記路面に垂直な方向に伸縮できる伸縮部と、を備えることを特徴とする請求項１又は２に記載の路面切断装置。
【請求項４】
前記カバーは、前記伸縮部の上端に接続する本体部と、前記枠部に対する前記本体部の水平方向の移動を規制するためのシャフトと、を更に備える請求項１から３のいずれか一項に記載の路面切断装置。
【請求項５】
前記吸引手段は、前記液体を含む吸引物を遠心力で分離する遠心分離部を備え、この遠心分離によって下降する前記吸引物の一部を排出するために前記遠心分離部より下方に設けられた下方開口部と、前記下方開口部から排出されない前記吸引物の他の一部を前記遠心分離部の外部に排出するための上方開口部とが形成された分離手段を備えることを特徴とする請求項１から４のいずれか一項に記載の路面切断装置。
【請求項６】
前記噴霧手段は、霧を噴射するためのノズルを備え、
前記カバーには、前記吸引手段に接続される開口部が形成され、
前記カバーによって前記ブレードが収納される空間のうち、前記回転軸を含み、前記路面に垂直で平面で二分される一方の領域に、前記ノズルが設けられ、他方の領域に前記開口部が形成されることを特徴とする請求項１から５のいずれか一項に記載の路面切断装置。
【請求項７】
円形状のブレードを回転させることにより路面を切断する路面切断装置において、  路面の切断中にブレードの一部を収めるための空間を、前記路面との間に設けるためのカバーと、
前記空間内に液体を噴霧するための噴霧手段と、を備え、
前記カバーには、前記空間内の雰囲気を吸引するための吸引手段に接続される開口部が設けられる路面切断装置。
【請求項８】
円形状のブレードを回転させることにより路面を切断する路面切断方法において、
カバーと路面との間に設けられる空間内に前記ブレードの少なくとも一部を収めた状態で、
前記空間に液体を噴霧し、かつ、前記空間を吸引しながら、前記ブレードを回転させて、路面を切断するステップと、
を含む路面切断方法。
【請求項９】
前記カバーは、前記ブレードによる前記路面の切断中に前記路面に対向する枠部と、この枠部に接続し、前記路面に垂直な方向に伸縮できる伸縮部と、を備える請求項８に記載の路面切断方法。
【発明の詳細な説明】
【技術分野】
【０００１】
本発明は、路面切断装置及び路面切断方法に関する。
【背景技術】
【０００２】
老朽化したマンホールの蓋及び受枠を取り替えるために、マンホール周囲の路面を切断して取り除き、新しいマンホールの蓋及び受枠に交換した後に、マンホール周囲の路面を充填剤で充填することが行われている。
【０００３】
特許文献１には、曲面状のブレード１０１が装着される路面カッター１００及びこれを収納するカバーを路面に対して上下に傾動させる傾動手段が記載されている。路面カッター１００は、モータで回転させたブレード１０１を路面に向かって傾動して、路面を切り込むことができる。
【先行技術文献】
【特許文献】
【０００４】
【特許文献１】特開２０１４−５６０１号公報
【発明の概要】
【発明が解決しようとする課題】
【０００５】
しかしながら、アスファルトなどの路面を切断する際に発生する粉塵を効果的に吸引する方法は、開発途上にある。
【０００６】
本出願の発明者らが、ブレードのカバーに吸引手段を接続して、切断により生じた粉塵を吸引する実験をしたところ、路面に凹凸があると、カバーと路面間に大きな間隙が出来てしまうために、粉塵が外部に撒きあがってしまう場合がある。
【０００７】
一方で、大量の水を供給しながら路面を切断すれば、粉塵が大気中に撒きあがることを防止できるものの、粉塵が混入した大量の汚濁水が周囲へ流出するため、バキュームでの汚濁水の吸引作業ならびに清掃が必要になってしまう。かといって水を少量にすると、局所的に水が供給されるに過ぎないため、粉塵を効果的に吸引することができないこともわかった。
【０００８】
そこで本発明は、路面を切断する際に発生する粉塵を効果的に吸引することができる路面切断装置及び路面切断方法を提供することを目的とする。
【課題を解決するための手段】
【０００９】
本発明の一態様に係る路面切断装置は、円形状のブレードを回転させることにより路面を切断する路面切断装置である。そして、路面の切断中にブレードの少なくとも一部を収めるための空間を、路面との間に設けるためのカバーと、空間に液体を噴霧するための噴霧手段と、空間を吸引するための吸引手段と、を備える。
【００１０】
この態様によれば、路面の切断中に路面との間に設けられる空間内にブレードの少なくとも一部を収めるためのカバーと、空間に液体を噴霧するための噴霧手段と、空間を吸引するための吸引手段を備えるので、大量の水を要することなく粉塵が撒きあがることを抑制し、粉塵を効果的に吸引することができる。更に、噴霧する液体でブレードを冷却することもできる。
【００１１】
ここで、「霧」とは、小さな液体の粒が、多数、空中に浮かんだ状態をいう。ただし、液体は、純水に限られず、水道水や薬液等の水溶液であってもよい。また、霧とともに、霧になっていない液体を供給するようにしてもよい。
【００１２】
また、ブレードは、曲面からなる表面及び裏面と、この表面及び裏面を接続する側面に設けられる複数の外周刃とを備え、噴霧手段は、ブレードの側面に向かって霧を供給するように構成されていてもよい。また、表面及び裏面が平面状である、円板のブレードであってもよい。
【００１３】
この態様によれば、噴霧手段は、ブレードの側面に向かって霧を供給するので、ブレードの表面側と裏面側の双方に霧を供給することが可能になる。その結果、ブレードの回転に伴って切断溝の両側に水が流れ込むため、粉塵が撒きあがることを効果的に抑制することができる。
【００１４】
ここで、「ブレード」の「曲面」とは、ブレードの回転軸を含む断面が、曲線を含むことをいう。曲線は、例えば、円弧又は放物線等の高次曲線を含むが、一部が直線であってもよい。ブレードの回転軸を含む断面が円弧の場合は、ブレードの曲面は、球面を含む。
【００１５】
また、カバーは、ブレードによる路面の切断中に、路面に対向する枠部と、この枠部に接続し、路面に垂直な方向に伸縮できる側面部とを備えていてもよい。
【００１６】
この態様によれば、枠部の重みと、側面部の伸縮性により、路面に凹凸があっても、カバーと路面との間隙を小さくすることができる。このため、粉塵がカバーの外部に撒きあがることを抑制することができる。
【００１７】
ここで、「接続」とは、直接接続している場合に限られず、間に他の物体が介在して間接的に接続される場合も含む。
【００１８】
また、本発明の一態様に係る路面切断装置は、円形状のブレードを回転させることにより路面を切断する。そして、路面の切断中にブレードの一部を収めるための空間を、路面との間に設けるためのカバーと、空間に液体を噴霧するための噴霧手段と、を備え、カバーには、空間を吸引するための吸引手段に接続される開口部が設けられる。
【００１９】
この態様によれば、開口部に吸引手段を接続することによって、大量の水を要することなく粉塵が撒きあがることを抑制し、粉塵を効果的に吸引することができる。
【００２０】
また、本発明の一態様に係る路面切断方法は、円形状のブレードを回転させることにより路面を切断する路面切断方法である。そして、カバーと路面との間に設けられる空間にブレードの一部を収めた状態で、空間に液体を噴霧し、かつ、吸引しながら、ブレードを回転させて、路面を切断するステップと、を含む。
【００２１】
この態様によれば、カバー内の空間に液体を噴霧し、かつ、吸引しながら、ブレードを回転させて路面を切断するので、大量の水を要することなく粉塵が撒きあがることを抑制し、粉塵を効果的に吸引することができる。
【発明の効果】
【００２２】
本発明によれば、粉塵を効果的に吸引することができる路面切断装置及び路面切断方法を提供することができる。
【図面の簡単な説明】
【００２３】
【図１】第１実施形態に係る路面切断装置１０の斜視図
【図２】第１実施形態に係るブレードカバー１４の側面図
【図３】第１実施形態に係るブレード１２の斜視図
【発明を実施するための形態】
【００２４】
[第１実施形態]
以下、図面を参照して本発明の実施形態について詳細に説明する。なお、同一の要素には同一の符号を付し、重複する説明を省略する。また、以下の実施の形態は、本発明を説明するための例示であり、本発明をその実施の形態のみに限定する趣旨ではない。さらに、本発明は、その要旨を逸脱しない限り、さまざまな変形が可能である。
【００２５】
図１は、本実施形態に係る路面切断装置１０の斜視図であり、図２は、ブレードカバー１４（「カバー」の一例）の側面図であり、図３は、路面を切断するためのブレード１２の斜視図である。
【００２６】
路面切断装置１０は、ブレード１２（図３）を収納するためのブレードカバー１４と、ブレードカバー１４内の空間に液体を噴霧して、霧を供給するための噴霧手段１６と、ブレードカバー１４内の空間を吸引するための吸引手段１８とを備える。
【００２７】
噴霧手段１６は、タンクから水を吸い上げるためのチューブ１６Ａと、チューブ１６Ａを介してタンクから水を吸い上げ、低圧又は高圧で排出するポンプ１６Ｂと、ポンプ１６Ｂから水を排出するためのチューブ１６Ｃと、チューブ１６Ｃを通った水を霧にしてブレードカバー１４内に供給するノズル１６Ｄを備えている。ノズル１６Ｄは、低圧又は高圧の水を、断面積の小さな複数の孔から吐出することによって、ブレードカバー１４内に霧状の液体を供給する。ノズル１６Ｄの取り付け位置については後述する。
【００２８】
図１及び図２に示されるように、ブレードカバー１４は、半円筒形の本体部１４Ａと、本体部１４Ａの下端から路面と平行な水平方向に広がるように設けられた板状のフリンジ部１４Ｂと、フリンジ部１４Ｂの外縁に接続され、路面と垂直な方向に伸縮する蛇腹１４Ｃ（「伸縮部」の一例）と、蛇腹１４Ｃの下端に接続される四角形の枠状の安定部１４Ｄ（「枠部」の一例）と、安定部１４Ｄの４つの角部に固定され、路面と垂直な方向に設けられる４つのシャフト１４Ｅ１〜１４Ｅ４と、吸引手段１８によりブレードカバー１４内の粉塵を吸引するための接続部１４Ｆを備えている。
【００２９】
本体部１４Ａは、略半円形の二つの側面と、これら２つの側面を接続する円筒面をなす上面を備える。本体部１４Ａは、内部にブレード１２を収納できるようにブレード１２よりもやや大きく設けられており、例えば、ブレード１２の側面視における半径よりも１０から５０ｍｍほど大きい半径を持つように形成されている。本体部１４Ａ及びフリンジ部１４Ｂは、樹脂又は金属等で設けることができる。本実施形態では、防音効果がより高い金属で本体部１４Ａ及びフリンジ部１４Ｂは設けられている。
【００３０】
蛇腹１４Ｃは、布、金属又はプラスチック等から設けられており、山折りと谷折りを繰り返した構造を備えることにより、路面と垂直な方向に伸縮することができる。また、蛇腹１４Ｃの下端に接続される安定部１４Ｄは、路面方向に蛇腹１４Ｃの下端を引っ張るのに十分な重量を有する木材又は金属等から設けられている。
【００３１】
また、図１に示されるように、フリンジ部１４Ｂの４つの角部には、貫通孔が形成されている。シャフト１４Ｅ１〜１４Ｅ４は、各貫通孔をそれぞれ貫通することで、安定部１４Ｄに対してフリンジ部１４Ｂならびにこれと一体的に形成される本体部１４Ａが水平方向に移動することを規制し、蛇腹１４Ｃの伸縮方向をガイドする機能を有する。また、シャフト１４Ｅ１〜１４Ｅ４の頂部は、この貫通孔の孔径よりも大きく形成されているため、本体部１４Ａは、シャフト１４Ｅ１〜１４Ｅ４の高さ以上に安定部１４Ｄと離れることはないように構成されている。
【００３２】
更に、ブレードカバー１４内には、ブレード１２を回転軸ＡＸで回転可能に支持するための支持部が備わっている。この支持部には、モータが接続されており、ブレード１２を、回転軸ＡＸを中心とする矢印ＡＲ（図２）の方向に回転させることができる。
【００３３】
図２に示されるように、本実施形態において、ノズル１６Ｄは、ブレードカバー１４の本体部１４Ａの円筒面をなす側面に、回転軸ＡＸ方向を向いて設置される。ブレード１２は回転軸ＡＸを中心に、矢印ＡＲの方向に回転しながら、図面の右又は左方向に移動することで路面を切断する。
【００３４】
本実施形態では、ノズル１６Ｄは、回転軸ＡＸを基準として路面から地上にブレード１２が出てくるときの角度を０度としたときに、約１２０度の位置（仰角で約６０度の位置）に、回転軸ＡＸが存在する斜め下方向を向いて設けられる。
【００３５】
ノズル１６Ｄは、ブレードカバー１４の上半分の領域（本実施形態では、ブレードカバー１４の高さの約８５％の位置）に設けられるから、ブレードカバー１４内の空間の幅広い領域に霧を供給することができる。また、これから路面に侵入するブレード１２に対して霧を供給するから、ブレード１２の切れ味を向上させることが期待できる場合がある。
【００３６】
ただし、本発明はこれに限定されるものではなく、例えば、回転軸ＡＸの直上である９０度の位置から、回転軸ＡＸが存在する真下を向くようにノズル１６Ｄを設置してもよいし、或いは、ブレードカバー１４の下半分の領域から、水平方向、又は、斜め上方を向くようにノズル１６Ｄを設けてもよい。また、複数のノズルを設けてもよい。
【００３７】
また、ノズル１６Ｄの回転軸ＡＸ方向の位置については、ノズル１６Ｄは、ブレード１２の外周刃が設けられる側面に対向する位置に設置されることが好ましい。このことにより、ブレード１２の表面と裏面の双方に霧を供給することが可能になる。
【００３８】
後述するように、本実施形態において、ブレード１２は球面状の曲面を有する。このため、ブレード１２の中心から離れて外周に近づくほど、回転軸ＡＸ方向の位置は進行する。このため、本実施形態においては、ノズル１６Ｄは、本体部１４Ａの円筒面をなす側面の回転軸ＡＸ方向における中心から離間した位置に設けられる。
【００３９】
以上のように構成した結果、ブレード１２の外周刃が設けられる側面から約１０〜５０ｍｍほど離間した位置に設けられたノズル１６Ｄから、ブレード１２の中心に向けて霧が供給される。
【００４０】
更に、ブレードカバー１４は、吸引手段１８によりブレードカバー１４内の粉塵を吸引するための接続部１４Ｆを備えている。
【００４１】
図２に示されるように、ブレード１２は、回転軸ＡＸを中心として矢印ＡＲの方向に回転するので、接続部１４Ｆは、路面から地上にブレード１２が出てくる位置に接続部１４Ｆが設けられている。接続部１４Ｆには、ブレードカバー１４内の空間に連通し、上方向を向いた開口部が設けられている。従って、この開口部から吸引を行うことにより、ブレード１２の回転とともに地上に撒きあがる粉塵を効果的に吸引することができる。
【００４２】
また、接続部１４Ｆの開口部と、ノズル１６Ｄは、回転軸ＡＸを含み、路面に垂直な平面でブレードカバー１４内の空間を二分したときに、異なる領域に設けられる（図２では、ノズル１６Ｄは、回転軸ＡＸの左側に設けられ、接続部１４Ｆの開口部は、回転軸ＡＸの右側に設けられる）。従って、ノズル１６Ｄから供給される霧が、ブレードカバー１４内の空間に拡散されることなく吸引されてしまうことを抑制することができる。
【００４３】
ただし、これに限られるものではなく、例えば、ノズル１６Ｄを中央に、複数の開口部を端部に設けて、霧の拡散が促進されるように構成してもよい。
【００４４】
図１に示されるように、接続部１４Ｆは、吸引手段１８に接続される。吸引手段１８は、接続部１４Ｆの開口部に連通するチューブ１８Ａと、チューブ１８Ａの他端に連通する分離手段１８Ｂ（「遠心分離部」の一例）と、分離手段１８Ｂの下方に設けられた集塵ボックス１８Ｃと、分離手段１８Ｂの上方に設けられたチューブ１８Ｄと、チューブ１８Ｄに接続されるポンプ１８Ｅを備える。
【００４５】
ポンプ１８Ｅによって、チューブ１８Ａを介してブレードカバー１４内の粉塵を含む汚濁水は、分離手段１８Ｂに流入する。分離手段１８Ｂは、遠心力で分離するサイクロンの原理で汚濁水を分離するためのものであり、下方に向かって緩やかに面積が小さくなる水平方向断面が円形の側面部を備えるとともに、この側面に沿って回転運動する汚濁水のうち、重量が大きいために遠心分離によって下降するものを、集塵ボックス１８Ｃに排出するために、集塵ボックス１８Ｃとの接続部に設けられた開口部（「下方開口部」の一例）と、集塵ボックス１８Ｃには排出されなかった気体や微粒子を上方から排出するために設けられた開口部（「上方開口部」の一例）が形成される。上方開口部は、チューブ１８Ｄに連通しており、チューブ１８Ｄの他端は、ポンプ１８Ｅに連通している。ただし、サイクロン式以外の吸引方式を用いることも可能である。たとえば、ダブルモーター式等のバキュームクリーナーをホースでブレードカバー１４に接続して直接的に吸塵してもよい。
【００４６】
図３は、ブレード１２を示している。ブレード１２は、円形状に形成されており、回転軸ＡＸを中心軸として自ら回転しながら、回転軸ＡＸ２を中心に旋回することで路面を円形に切断するためのものである。このブレード１２は、球面又は曲面をなす表面１２Ａ及び裏面１２Ｂと、複数の外周刃が形成された側面１２Ｃを備えている。このブレード１２は、ダイヤモンドチップが埋め込まれた銅を主成分とする。ブレード１２の径は、用途等に応じて様々なものを適用可能であるが、たとえば、側面視において、２５０ｍｍの半径を有する。また、ブレードとして、直線的に路面を切断するための円板状のものを用いてもよい。
【００４７】
また、路面切断装置１０は、ブレード１２を回転するためのモータ、ブレード１２及びブレードカバー１４を移動させるための車輪、ブレード１２及びブレードカバー１４を路面に対して上下に傾動するための傾動手段などを備えている。
【００４８】
以下では、このような路面切断装置１０を用いて、補修が必要なマンホールの鉄蓋及び外枠を、周囲の舗装ごと円形球面上に切断する路面切断方法を説明する。
【００４９】
まず、対象となるマンホールの中心に路面切断装置１０を係合するためのセンター治具を固定し、このセンター治具と路面切断装置１０のセンター部を係合させる。
【００５０】
そして、ブレードカバー１４及びブレードカバー１４に上部が収納されたブレード１２を、傾動手段を用いて路面方向に下降させながら、ブレード１２を、回転軸ＡＸを中心として回転させることで路面の切断を開始する。
【００５１】
このとき、ブレード１２の下部１００ｍｍから２００ｍｍが路面の下に潜り、残りは路面上にある。また、ブレードカバー１４の下端である安定部１４Ｄは、路面と数ミリメートル程度離間して路面に対向する。また、ブレードカバー１４の概ね上半分は、本体部１４Ａ内の空間に収納され、ブレードカバー１４の下半分のうち路面上にある部分は、蛇腹１４Ｃに囲まれる空間に収納されている。このため、ブレード１２のうち、路面から上の部分は、ブレードカバー１４と路面で囲まれる空間に収納されている。このため、路面の切断時に発生する高周波のノイズなどの騒音が外部に漏れることを抑制することができる。
【００５２】
同時に、ポンプ１６Ｂからノズル１６Ｄに供給された低圧又は高圧の水は、ノズル１６Ｄに設けられた複数の孔を通過して、霧となってブレードカバー１４の本体部１４Ａ内に供給される。ノズル１６Ｄは、ブレード１２の側面１２Ｃに対向しているから、ノズル１６Ｄから噴射される霧の一部はブレード１２の表面１２Ａ及び裏面１２Ｂの双方に付着し、ブレード１２の冷却を促進し、かつ、切れ味が低下することを抑制する。なお、噴霧する手段はこれに限られるものではない。
【００５３】
また、ブレード１２の表面１２Ａ及び裏面１２Ｂに霧が付着するので、切断溝の両側に水が入り込む。こうした水分は、切断により生じるアスファルト粉や骨材粉等の粉塵によって吸収されて湿った粒になるため、粉塵が撒きあがることを抑制する。このため、乾燥した粉塵等が大気中に飛散して生活環境に及ぶことを抑制することができる。
【００５４】
ポンプ１８Ｅは、ブレードカバー１４の接続部１４Ｆに設けられた開口部から、湿った粉塵等を吸引する。吸引された粉塵等は、分離手段１８Ｂの側面部に沿って回転しながら下降し、下方に設けられた開口部から、集塵ボックス１８Ｃに排出される。このため、切断により生じた粉塵等を効率的に回収し、廃棄することができる。回収されなかった気体や微粒子は、上方に設けられた開口部から、チューブ１８Ｄを介してポンプ１８Ｅに吸引される。
【００５５】
そして、マンホールの中心に固定され、マンホールの中心から垂直方向に立設する軸部を備えるセンター治具と係合しながら、路面切断装置１０は、マンホールの中心を通過する回転軸ＡＸ２を中心に旋回する。これに伴って、ブレードカバー１４及びブレード１２もマンホールを中心として旋回する。
【００５６】
このとき、路面に凹凸や高低差などがあっても、蛇腹１４Ｃが設けられているから、安定部１４Ｄは、路面にあわせて、傾くことができる。このため、路面との間隙を抑えることができる。また、シャフト１４Ｅ１〜１４Ｅ４が、安定部１４Ｄに対してフリンジ部１４Ｂならびにこれと一体的に形成される本体部１４Ａが水平方向に移動することを規制するので、蛇腹１４Ｃがスムーズにかつ柔軟に伸縮することが可能となる。
【００５７】
マンホールの中心を数周旋回することで、マンホールの鉄蓋及び外枠を、周囲の舗装ごと円形球面上に切断することができる。その後、切断された切断塊を分離して吊り上げ撤去した後、新たなマンホールを設置し、周囲を、モルタル等を用いて充填することで、マンホールの補修が完了する。
【００５８】
以上のように、ノズル１６Ｄからブレードカバー１４内に霧を供給したので、水を供給する場合と比較して、ブレード１２の表面及び裏面に万遍なく水分を供給することが可能になる。その結果、粉塵が撒きあがることを抑制することができる。ただし、ブレード１２の表面のみ又は裏面のみに霧を供給するようにしてもよい。また、複数のノズルを用いて霧を供給するようにしてもよい。
【００５９】
また、ブレード１２が路面から出てくる位置から粉塵等を吸引するようにしたから、粉塵等が拡散することを抑制することができる。ただし、異なる位置から粉塵等を吸引するようにしてもよい。
【００６０】
また、分離手段１８Ｂを用いて、サイクロンの原理に基づき、吸引した粉塵等を遠心分離して回収するようにしたから、湿った粉塵等を効率よく回収することが可能になる。その結果、ポンプ１８Ｅへの負荷を下げることができる。また、ポンプ１８Ｅのフィルターの目詰まり等のメンテナンスも軽減される。
【００６１】
また、霧を供給するようにしたから、路面に残存する汚濁水も限定的になる。このため、作業後の清掃に要する水の量が少なくなり、清掃の手間も軽減する。
【００６２】
ブレードカバー１４は、ブレード１２の形状にあわせて円筒形状にしたから、ブレードカバー１４内の空間の容積を小さくすることが可能になり、粉塵の回収効率を向上させることができる。しかしながら、ブレードカバー１４の形状はこれに限られるものではなく、たとえば、四角形状などにして、製造コストの低下を図ってもよい。
【００６３】
また、ブレード１２は、球面状であったが、これに限られるものではなく、断面が直線状のブレードを用いた路面切断装置に本発明を適用してもよい。
【００６４】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。
【符号の説明】
【００６５】
１０…路面切断装置、１２…ブレード、１２Ａ…表面、１２Ｂ…裏面、１２Ｃ…側面、１４…ブレードカバー、１４Ａ…本体部、１４Ｂ…フリンジ部、１４Ｃ…蛇腹、１４Ｄ…安定部、１４Ｆ…接続部、１６…噴霧手段、１６Ａ…チューブ、１６Ｂ…ポンプ、１６Ｃ…チューブ、１６Ｄ…ノズル、１８…吸引手段、１８Ａ…チューブ、１８Ｂ…分離手段、１８Ｃ…集塵ボックス、１８Ｄ…チューブ、１８Ｅ…ポンプ
【図１】
2019124041.tif 000003
【図２】
2019124041.tif 000004
【図３】
2019124041.tif 000005